(57)【要約】【課題】汚れた研磨粒を研磨粒交換装置から取り出すことなく洗濯することが出来、さらに提案されている研磨粒洗濯装置を備えた研磨粒交換装置における課題を解決し、洗濯して汚れた研磨粒を今まで以上に汚れを落とすことを可能にした、研磨粒交換装置を提供する。【解決手段】ブロア装置と、該ブロア装置にて汚れた研磨粒を吸引する吸引ホースと、該吸引ホースにて吸引した研磨粒を装置筐体内で貯留し、洗濯する研磨粒洗濯装置と、洗濯後の研磨粒を供給する供給ホースと、から成る研磨粒交換装置であって、研磨粒洗濯装置は、回転可能に軸支され、多角形状から成る洗濯ドラムと、該洗濯ドラムを正逆回転に駆動させる駆動モータと、洗濯ドラムの外側の洗濯槽と、から構成され、前記洗濯ドラム内には、導入した研磨粒を拡散し、攪拌させる複数枚の研磨粒拡散羽根を螺旋状に周回して形成した。【選択図】    図１
2004283390.tif 000002
【特許請求の範囲】
【請求項１】
ブロア装置と、該ブロア装置にて汚れた研磨粒を吸引する吸引ホースと、該吸引ホースにて吸引した研磨粒を装置筐体内で貯留し、洗濯する研磨粒洗濯装置と、洗濯後の研磨粒を供給する供給ホースと、から成る研磨粒交換装置であって、
前記研磨粒洗濯装置は、回転可能に軸支され、多角形状から成る洗濯ドラムと、該洗濯ドラムを正逆回転に駆動させる駆動モータと、前記洗濯ドラムの外側の洗濯槽と、から構成され、前記洗濯ドラム内には、導入した研磨粒を拡散し、攪拌させる複数枚の研磨粒拡散羽根を螺旋状に周回して形成したことを、特徴とする研磨粒交換装置。
【請求項２】
上記研磨粒拡散羽根は、両端が異なる姿勢に折曲した折曲片を有した略台形形状に形成されている、請求項１記載の研磨粒交換装置。
【請求項３】
上記洗濯ドラムの一端側に、研磨粒を取り入れ、取り出す開口部と、該開口部に連設して研磨粒載置板とが設けられ、洗濯ドラムの逆回転時は、研磨粒が研磨粒拡散羽根により開口部付近に戻され、さらに開口部付近の研磨粒は研磨粒載置板に乗ることで、研磨粒を吸引し易くしたことを特徴とする、請求項１又は請求項２に記載の研磨粒交換装置。
【発明の詳細な説明】
【０００１】
【発明の属する技術分野】
本発明は、汚れた研磨粒を装置から取り出さずに装置筐体内の研磨粒洗濯装置にて洗濯することが可能な洗濯機能を備えた研磨粒交換装置に関り、特に研磨粒洗濯装置の洗濯ドラム内に設けた研磨粒攪拌羽根に関する。
【０００２】
【従来の技術】
パチンコ店の遊技島においては、パチンコ台等の遊技台と、遊技台の間には遊技媒体貸出機が複数台配設されている。また、遊技台から排出されたパチンコ玉を研磨しながら揚送する揚送装置が遊技島の略中央付近に備えられている。該揚送装置は、例えば揚送ベルトと布材（綿等）にてパチンコ玉を挟みながら揚送して磨くタイプのものと、合成樹脂製の研磨粒とパイプ内の揚送螺旋体の回転により、攪拌しながらパチンコ玉を磨くタイプのものとが提供されている。
【０００３】
合成樹脂製の研磨粒を使用してパチンコ玉を磨く揚送装置においては、研磨粒を循環還流させているため、次第に汚れて研磨する能力が低下してくる。そのため、揚送装置には研磨粒を清浄する清浄装置を備えたものがあり、該清浄装置にて汚れた研磨粒の表面を剥離することにより、再利用することを可能にしている。
【０００４】
清浄装置を備えていない揚送装置においては、汚れた研磨粒と新しい研粒とを交換する研磨粒交換装置によって、汚れた研磨粒を回収し、回収と同時に新しい研磨粒又は洗濯後の研磨粒を供給することにより、研磨粒を再利用可能にしている。
なお、上述した清浄装置を備えている揚送装置においても、再利用を繰り返していると、該清浄装置でも汚れが落ちないときがあり、そのときは研磨粒を研磨粒交換装置によって取り出して洗濯する必要があった。
研磨粒交換装置としては、下記の研磨材補給・回収装置が提案されている。
【０００５】
【特許文献１】
特開平４−１５６８７３号公報
【０００６】
研磨粒交換装置は、汚れた研磨粒を回収する研磨材吸引管と、汚れた研磨粒を容器内に吸引するブロアと、新しい研磨粒又は洗濯後の研磨粒を容器内に貯留させておき、該容器から研磨粒を揚送装置内に供給する研磨材降下管と、から構成されており、回収・供給操作においては、各検出センサによって店員の回収・供給作業の監視が軽減できるように成している。
【０００７】
【発明が解決しようとする課題】
上述した研磨粒交換装置においては、回収した容器内の汚れた研磨粒をわざわざ取り出して網ネット等に収納して別の場所に保管されている専用の洗濯機にて洗濯した後、乾燥させ、乾燥した後の研磨粒を保管しておく必要があり、店員にとってはその作業が面倒であり、時間と手間を要していた。
そこで、昨今、汚れた研磨粒を研磨粒交換装置から取り出すことなく、装置筐体内部に研磨粒洗濯装置を備えたものが提案されてきている。該研磨粒洗濯装置は、洗濯槽内に洗濯ドラムが駆動モータにより回転可能に軸支され、該洗濯ドラム内にて汚れた研磨粒を洗濯させていたが汚れが落ち難く、改善するよう要望されていた。
【０００８】
本発明は、上記課題に鑑みてなされたもので、汚れた研磨粒を研磨粒交換装置から取り出すことなく洗濯することが出来、さらに提案されている研磨粒洗濯装置を備えた研磨粒交換装置における課題を解決し、洗濯して汚れた研磨粒を今まで以上に汚れを落とすことを可能にした、研磨粒交換装置を提供することを目的とする。
【０００９】
【課題を解決するための手段】
以上の課題を解決するために、本発明に係る研磨粒交換装置は、ブロア装置と、該ブロア装置にて汚れた研磨粒を吸引する吸引ホースと、該吸引ホースにて吸引した研磨粒を装置筐体内で貯留し、洗濯する研磨粒洗濯装置と、洗濯後の研磨粒を供給する供給ホースと、から成る研磨粒交換装置であって、
前記研磨粒洗濯装置は、回転可能に軸支され、多角形状から成る洗濯ドラムと、該洗濯ドラムを正逆回転に駆動させる駆動モータと、前記洗濯ドラムの外側の洗濯槽と、から構成され、前記洗濯ドラム内には、導入した研磨粒を拡散し、攪拌させる複数枚の研磨粒拡散羽根を螺旋状に周回して形成したことを特徴とする。
【００１０】
また、本発明に係る研磨粒交換装置は、上記研磨粒拡散羽根は、両端が異なる姿勢に折曲した折曲片を有した略台形形状に形成されている、ことを特徴とする。
【００１１】
また、本発明に係る研磨粒交換装置は、上記洗濯ドラムの一端側に、研磨粒を取り入れ、取り出す開口部と、該開口部に連設して研磨粒載置板とが設けられ、洗濯ドラムの逆回転時は、研磨粒が研磨粒拡散羽根により開口部付近に戻され、さらに開口部付近の研磨粒は研磨粒載置板に乗ることで、研磨粒を吸引し易くした、ことを特徴とする。
【００１２】
【発明の実施の形態】
以下、本発明に係る研磨粒交換装置の好適な実施の形態を、図を用いて説明する。図１は、洗濯機能を備えた研磨粒交換装置の概観を示す斜視図である。また図２は、図１の概観を示す正面図である。研磨粒交換装置は、ホールカウンタ等に置かれていて、閉店後に定期的に遊技島の中央付近に備えられた玉揚送装置に近づけて交換作業（新しい研磨粒又は洗浄後の研磨粒と、汚れた研磨粒）を行うものである。研磨粒交換装置内に回収した汚れた研磨粒は、後述する研磨粒洗濯装置にて洗浄される。なお、研磨粒洗濯装置における洗浄はどこの場所でも行える。
【００１３】
始めに、研磨粒交換装置１０の構成について説明する。研磨粒交換装置１０は、図１に示すように縦枠、横枠の支持枠体１１ａに支持した略矩形形状に形成された装置筐体１１から成り、下部に移動するための台車１２が四箇所、設けられている。ここでの研磨粒交換装置１０の外形寸法は、例えば縦（約１０００ミリ）×幅（約５００ミリ）×高さ（約１０００ミリ）の大きさに形成されているため、狭い遊技島間の通路であってもスムーズに移動することができる。
【００１４】
研磨粒交換装置１０は、ブロア装置１５と、研磨粒吸引タンク２１（以下、洗浄前タンクという）及び吸引ホース２０と、研磨粒洗濯装置３０と、研磨粒供給タンク４１（以下、洗浄後タンクという）及び供給ホース４０とから、大略構成されている。上述した各装置についての説明は後述する。
【００１５】
ブロア装置１５について説明する。ブロア装置１５は、図１に示すように装置筐体１１の上部右側に、洗浄前タンク２１と上下一体と成して取り付けら、ブロア装置１５の吸気と排気を利用し、下記の各々の作用を行うことができる。
▲１▼ブロア装置１５は、吸引作用（吸気）を利用して、玉揚送装置の研磨粒取出し口（共に不図示）から吸引ホース２０にて汚れた研磨粒を洗浄前タンク２１内に回収する（図３）。
▲２▼ブロア装置１５の排気作用（排気）を利用して、研磨粒洗濯装置３０内の洗濯後の研磨粒を乾燥させる（図５）。
▲３▼ブロア装置１５の吸引作用（吸気）を利用して、研磨粒洗濯装置３０にて洗濯後の研磨粒を洗浄後タンク４１に吸引する（図６）。
▲４▼ブロア装置１５の排気作用（排気）を利用して、洗浄後タンク４１内の研磨粒を玉揚送装置の研磨粒取出し口に送り出し易くする（図３）。このとき同時に発生する▲１▼での吸気作用（吸気）により、吸引ホース２０にて汚れた研磨粒を洗浄前タンク内２１に回収する作用が同時進行している。
以上、それぞれの作用を行うものである。尚、それぞれの作用における、研磨粒の流れ、空気の流れについては後述する。
【００１６】
研磨粒交換装置１０の装置筐体１１内部には、洗浄前タンク２１と、洗浄後タンク４１と、ブロア装置１５と、研磨粒洗濯装置３０と、給排水装置５０とが備えられている。
洗浄前タンク２１は、吸引ホース２０と接続され、該吸引ホース２０の先端を玉揚送装置の取出し口に接続し、汚れた研磨粒をブロア装置１５の吸引作用により吸引回収し、一旦貯留させておくための貯留部であり、漏斗状に形成され、下部に外部操作部からの指令に基づいて自動的に開閉する開閉シャッター２１ａが設けられている。
洗浄後タンク４１は、後述する研磨粒洗濯装置３０と供給ホース４０にて接続され、研磨粒洗濯装置３０にて洗浄し、乾燥させた後の研磨粒をブロア装置１５の吸引作用により吸引回収し、一旦貯留させておくための貯留部であり、漏斗状に形成され、下部に外部操作部からの指令に基づいて自動的に開閉する開閉シャッター４１ａが設けられている。
装置筐体１１内の適宜の位置には、第１切替弁２２と、第２切替弁４２とが設けられ、両切替弁は、ブロア装置１５及び研磨粒洗濯装置３０とそれぞれホースを介して接続されており、外部操作に応じて何れか側に開閉動作するように設けられている。開閉動作については関連するところで説明する。
また、汚れた研磨粒を取り出さずに洗濯することができる研磨粒洗濯装置３０が備えられている。さらに、給排水装置５０が備えられ、給排水装置５０は研磨粒洗濯装置３０に洗浄水を給水したり、排水したりする給排水ポンプ５０ａと、洗浄水を溜めておく洗浄用タンク５０ｂと、から成している。
【００１７】
次に、研磨粒洗濯装置３０の構成について説明する。研磨粒洗濯装置３０は、洗濯槽３２内に設けられ、回転する洗濯ドラム３１にて洗濯するものである。
図１及び図２に示すように、研磨粒洗濯装置３０は装置筐体１１内の中央位置に備えられていて、右上がりの傾斜状に固定された洗濯槽３２内に洗濯ドラム３１が正逆回転するように軸支されている。ここでの洗濯ドラム３１は、駆動モータ３３により正逆回転駆動するように成していて、洗浄時は正回転駆動し、乾燥時及び回収時は、逆回転駆動するように制御されている。尚、一方向のみによる回転駆動にて行っても良い。
【００１８】
本実施形態における特徴的な構成について、以下説明する。
図７乃至図１０を参照しつつ、研磨粒洗濯装置３０の具体的な構成を説明していく。洗濯ドラム３１は、多角形状（好ましくは、八角形状）に形成され、適宜間隔をおいた箇所に複数個、矩形状の開口窓３１ｅが設けられ、その全外周縁に研磨粒が通過しない大きさの金網３１ｄが貼設された形状から成している。矩形状の開口窓３１ｅは、洗濯ドラム３１が回転している時に、ドラム外にある洗浄水と空気を出すために開口したもので、乾燥時により早く乾燥できるように考慮している。
ここでは洗濯ドラム３１の形状を、八角形状に形成した説明としたが、多角形状であれば良い。つまり、多角形状に形成すると研磨粒がより攪拌するのである。
【００１９】
また、洗濯ドラム３１の内周面には研磨粒を拡散し、攪拌させる複数枚（例えば、２８枚）の研磨粒拡散羽根３１ａが適宜、螺旋の間隔をおいて取付けられている。ここでの研磨粒拡散羽根３１ａは、洗濯ドラムの大きさ（径、長さ）等を考慮し、また、間隔が狭すぎず、広すぎずない位置に取り付けられている。
研磨粒拡散羽根３１ａは、図１１及び図１２に示すように略台形形状と成し、上辺を中心にして両端を異なる姿勢に折り曲げた折曲片３１ｂと、下辺の取付片３１ｃとから形成され、この取付片３１ｃにて多角形状の洗濯ドラムの各一辺毎に固着させることが出来る。この両端の異なる姿勢の折曲片３１ｂを隙間が生じないよう螺旋状に連接して固着していく（図１３参照）。
このように、多角形状と、内周面に設けた複数枚の研磨粒拡散羽根３１ａとの相乗効果によって、汚れた研磨粒をより拡散し、攪拌して洗濯することができるため、短い距離（洗濯ドラムの長さ）、短時間であっても研磨粒の汚れを落とすことができる。
【００２０】
さらに、洗濯ドラム３１の一端側（図９右側）には研磨粒を取り入れ、取り出す開口部３１ｇが設けられ、該開口部３１ｇに連設して研磨粒載置板３１ｆが設けられている。研磨粒載置板３１ｆは、断面三角形状と成し、開口部３１ｇ側に傾斜して取り付けられている
この研磨粒載置板３１ｆは、洗浄後の洗濯ドラム３１内の研磨粒を取り出し易くするためのもので、洗濯ドラム３１が逆回転し、研磨粒拡散羽根３１ａにより研磨粒が開口部３１ｇ付近に戻された研磨粒を乗せることが出来、乗せた研磨粒を吸引し易くするために設けられている。
【００２１】
洗濯ドラム３１は、両端側に円盤軸部３２ａが設けられ、洗濯槽３２の両端側のローラ取付板３３ｂに設けた二つの回転ローラ３３ａ上にて回転するように構成されている。このように二つの回転ローラ３３ａ上にて支持して回転させることにより、洗濯ドラム３１内に多量の研磨粒（例えば、１８キログラム）を投入し、回転させても振動や回転振れ等が生じない。洗濯ドラム３１の一方側の円盤軸部３２ａと駆動モータ３３の回転軸とが軸支されていて、該駆動モータ３３の駆動により正逆回転制御するように成している（図８及び図９参照）。
【００２２】
次に、以上の構成に基づく、本実施形態の研磨粒交換装置１０における各動作、作用について順に詳述する。
先ず、玉揚送装置から汚れた研磨粒を回収する動作、すなわち、研磨粒を交換する作用について説明する。この動作及び作用時においては、洗浄後タンク４１内の研磨粒（新しい研磨又は洗浄後の研磨粒）を玉揚送装置へと供給する動作も同時に進行している。つまり、洗浄後の研磨粒を供給し、玉揚送装置を駆動させることで、汚れた研磨粒を取り出すことが行えるのである。
【００２３】
図３に基づいて説明する。図３に示すホース内の黒色矢印は、研磨粒の流れを示し、ホース内の白色矢印は、空気の流れをそれぞれ示している。
玉揚送装置の研磨粒取出し口に吸引ホース２０の一端が接続され、他端が洗浄前タンク２１の側面に接続されている。汚れた研磨粒を吸引するにあたっては、洗浄前タンク２１の開閉シャッター２１ａは閉じた状態と成し、ブロア装置１５の吸引作用によって吸引ホース２０内を汚れた研磨粒が吸い込まれてくる。このブロア装置１５の吸引時間は、設定された時間による制御でも良く、また、洗浄前タンク２１内のセンサ（不図示）によるものでも良い。
洗浄後タンク４１の下部に供給ホース４０の一端が接続され、他端が玉揚送装置の研磨粒取出し口に接続されている。また、ブロア装置１５と接続したホースが第１切替弁２２を介して接続されている。
ここでは上記した動作と同時進行に、洗浄後タンク４１の下部の開閉シャッター４１ａが開閉し、洗浄後タンク４１内の研磨粒が供給ホース４０を通って研磨粒取出し口内へと送り込まれる。この時、ブロア装置１５の排気を供給ホース４０に送り込むことで、洗浄後タンク４１内の研磨粒を残さず送り出すことができる。この動作の時、第１切替弁２２は右側が閉じるように切替えた状態に位置している。
【００２４】
次に、洗浄前タンク２１に回収した研磨粒を研磨粒洗濯装置３０に供給する動作、すなわち、研磨粒を洗濯ドラム３１内に流下させる作用について説明する。
図４に基づいて説明する。図４に示すホース内の黒色矢印は、研磨粒の流れを示している。
洗浄前タンク２１内に回収した研磨粒は、下部に設けた開閉シャッター２１ａを開閉することにより、自然落下（漏斗状の洗浄前タンクの傾斜）にて研磨粒洗濯装置３０の洗濯ドラム３１内へと送り込むことができる。尚、この時開閉シャッター２１ａの開閉時間は、設定された時間後に閉じるように制御しても良く、また、洗浄前タンク２１内のセンサ（不図示）によって閉じるようにしても良い。
【００２５】
次いで研磨粒洗濯装置３０にて汚れた研磨粒を洗濯する作用について説明する。
研磨粒洗濯装置３０にて洗濯するにあたっては、先ず下部に設けた洗浄用タンク５０ｂ内の洗浄水を給排水ポンプ５０ａにて給水し、ホースを介して洗濯槽３２内の約半分位まで洗浄水を給水する。洗浄前タンク２１内に貯留した研磨粒の全てが流下した後、開閉シャッター２１ａは閉じる。そして、駆動モータ３３の駆動によって、ある設定された洗浄時間の間、正回転方向に回転し、洗浄水が入った洗濯ドラム３１内の研磨粒が回転することにより洗浄される。この洗浄時は洗濯ドラム３１の多角形状と、内周面に設けた複数枚の研磨粒拡散羽根３１ａとの相乗効果により、汚れた研磨粒をより拡散し、攪拌して洗濯することができるため、短い距離（洗濯ドラムの長さ）、短時間であっても研磨粒の汚れを落とすことができる。
【００２６】
次に、研磨粒洗濯装置３０にて洗浄した研磨粒を乾燥させる動作、すなわち、洗濯ドラム３１内にブロア装置１５の排気を送風して乾燥させる作用について説明する。図５に基づいて説明する。図５に示すホース内の白色矢印は、空気の流れを示している。
研磨粒洗濯装置３０の駆動モータ３３の駆動によって、ある設定された洗浄時間の間、洗濯ドラム３１が正回転し洗浄する。設定された時間後に駆動モータ３３の駆動が停止し、今度は洗濯ドラム３１が逆回転すると同時に、洗濯ドラム３１内にブロア装置１５の排気が送り込まれる。この動作の時、第１切替弁２２は左側が閉じるように切替えた状態に位置している。
乾燥するにあたっては、先ず洗浄時間後において、研磨粒洗濯装置３０の洗濯槽３２内の洗濯ドラム３１に給水された洗浄水は、給排水ポンプ５０ａを排水用ポンプとして切替え、ホースを介して全ての洗浄水を洗浄用タンク５０ｂ内に排水させる。この洗浄用タンク５０ｂ内の洗浄水は汚れるまで再利用し、汚れがひどくなったら綺麗な洗浄水と交換する。尚、ここでは、洗浄水のみで洗浄する説明としたが、洗剤等を混入させて洗浄しても良い。
【００２７】
洗濯槽３２内の洗浄水が全て排水された後、乾燥する工程に移行するのである。
ブロア装置１５と、洗濯槽３２の他端側の取付部３２ｂとが第１切替弁２２を介してホースにて接続されている。そして、駆動モータ３３が停止、排水処理した後、洗浄後の湿った研磨粒を乾燥させるため、洗濯ドラム３１が逆回転し、さらにブロア装置１５を駆動させ、該ブロア装置１５の排気が第１切替弁２２を介してホースから洗濯ドラム３１内に送られ、乾燥させるのである。この乾燥時は、逆回転する洗濯ドラム３１の多角形状と、内周面に設けた複数枚の研磨粒拡散羽根３１ａとの相乗効果により、湿った研磨粒がより拡散し、攪拌して乾燥することができるため、短い距離（洗濯ドラムの長さ）、短時間であっても洗浄後の湿った研磨粒を素早く乾かすことができる。
【００２８】
次に、研磨粒洗濯装置３０にて洗浄し、乾燥した後の研磨粒を回収する動作、すなわち、洗浄後の研磨粒を洗浄後タンク４１内に吸引（導く）する作用について説明する。
図６に基づいて説明する。図６に示すホース内の黒色矢印は、研磨粒の流れを示し、ホース内の白色矢印は、空気の流れを示している。ここでは、ブロア装置１５の吸気の利用し洗濯ドラム３１からホースを介して、洗浄後タンク４１内に全ての研磨粒を残さず、送り出すことができる。
研磨粒洗濯装置３０の洗濯ドラム３１内には洗浄され乾燥した後の研磨粒が貯留されており、洗浄後タンク４１内に導く必要がある。洗濯槽３２の他端側の取付部３２ｂと洗浄後タンク４１とがホースにて接続され、さらに洗浄後タンク４１が第２切替弁４２を介してブロア装置１５とホースにて接続されている。この動作の時、第１切替弁２２は右側が閉じるように切替えた状態に位置し、第２切替弁４２が開いた位置は切替えた状態に位置している。
【００２９】
そして、研磨粒洗濯装置３０にて洗浄し、乾燥した後の研磨粒を洗濯ドラム３１内から回収（取り出す）するため、駆動モータ３３により洗濯ドラム３１を逆回転させ、さらにブロア装置１５を駆動させ、該ブロア装置１５の吸気が第２切替弁４２を介してホースから洗濯ドラム３１内に送られ、ホース内にて吸引され、洗浄後タンク４１内へと導かれるのである。この研磨粒吸引時は、逆回転する洗濯ドラム３１の多角形状と、内周面に設けた複数枚の研磨粒拡散羽根３１ａと、さらに開口部３１ｇ付近に設けた研磨粒載置板３１ｆによって、螺旋状にて戻された研磨粒が研磨粒載置板３１ｆに乗ることで、取付部３２ｂに接続したホースから吸引し易くなり、洗浄後の研磨粒を洗濯ドラム３１内から短時間のうちに全て回収することができる。
【００３０】
以上、説明した各工程、操作（作用）は、閉店後において店員が操作部（不図示）を操作し、制御部からの指令に基づいて自動制御されるように構成されている。そのため、今までの研磨粒交換装置においては、汚れた研磨粒を取り出して別の場所に設置された洗濯機にて洗濯し、乾燥させる面倒な作業を行っていたが、この実施形態による研磨粒交換装置によれば、汚れた研磨粒を取り出す面倒な作業がなくなり、しかも、全自動にて処理されるため、店員の作業がより一層、軽減されるのである。
【００３１】
【発明の効果】
以上の説明で明らかなように本発明の研磨粒交換装置によれば、従前の研磨粒交換装置において行っていた作業、即ち、汚れて取り出した研磨粒を別の場所に移し変える作業、洗濯、乾燥、保管するといった面倒な作業が省けることによって店員の閉店後の作業が著しく軽減される。
【図面の簡単な説明】
【図１】本発明の研磨粒交換装置の全体を示す斜視図である。
【図２】本発明の研磨粒交換装置の全体を示す正面図である。
【図３】本発明の研磨粒交換装置の動作のうち、新旧の研磨粒を交換する時の状態を示す概略図である。
【図４】本発明の研磨粒交換装置の動作のうち、研磨粒を研磨粒洗濯装置に流下する時の状態を示す概略図である。
【図５】本発明の研磨粒交換装置の動作のうち、洗浄後の研磨粒を乾燥させる時の状態を示す概略図である。
【図６】本発明の研磨粒交換装置の動作のうち、洗浄、乾燥後の研磨粒を洗濯ドラムから取り出す時の状態を示す概略図である。
【図７】本発明の研磨粒交換装置に組み込まれた研磨粒洗濯装置の洗濯ドラムを示す斜視図である。
【図８】研磨粒洗濯装置の洗濯ドラムが取り付けられる洗濯槽の構造を示す斜視図である。
【図９】本発明の研磨粒交換装置に組み込まれた研磨粒洗濯装置の構造を示す正面図である。
【図１０】本発明の研磨粒交換装置に組み込まれた研磨粒洗濯装置の構造を示す平面図である。
【図１１】研磨粒洗濯装置の内周面に取り付けられた研磨粒拡散羽根の形状を示す平面図である。
【図１２】研磨粒洗濯装置の内周面に取り付けられた研磨粒拡散羽根の形状を示す正面図である。
【図１３】研磨粒洗濯装置の内周面に取り付けられた研磨粒拡散羽根を複数枚連接した状態を示す図である。
【符号の説明】
１０  研磨粒交換装置
１５  ブロア装置
２０  吸引ホース
２１  研磨粒吸引容器（洗浄前タンク）
３０  研磨粒洗濯装置
３１  洗濯ドラム
３１ａ研磨粒拡散羽根
３１ｆ研磨粒載置板
３２  洗濯槽
４０  供給ホース
４１  研磨粒供給容器（洗浄後タンク）
【図１】
2004283390.tif 000003
【図２】
2004283390.tif 000004
【図３】
2004283390.tif 000005
【図４】
2004283390.tif 000006
【図５】
2004283390.tif 000007
【図６】
2004283390.tif 000008
【図７】
2004283390.tif 000009
【図８】
2004283390.tif 000010
【図９】
2004283390.tif 000011
【図１０】
2004283390.tif 000012
【図１１】
2004283390.tif 000013
【図１２】
2004283390.tif 000014
【図１３】
2004283390.tif 000015